(57)【要約】【課題】予告番組が終了してもユーザが本編番組の視聴または録画の予約を簡単かつ確実に行うことを可能にする放送受信装置を提供する。【解決手段】ユーザが予告番組を視聴中である場合に、予告番組情報抽出部３２は受信部２１から出力される番組情報から予告番組情報を抽出する。予告番組情報記憶部４１は予告番組情報を記憶する。予告番組データ記憶部５１は受信部２１から出力される予告番組データを記憶する。ユーザは情報入力部２４の操作によりモニタ６０の画面に視聴／録画予約可能番組一覧を表示させることができる。ユーザにより番組予約が指示された場合には、番組予約設定部３３は情報入力部２４の操作により入力された予約情報を予約情報記憶部４３に記憶させる。それにより、視聴または録画が予約される。【選択図】図１
2007324636.tif 000002
【特許請求の範囲】
【請求項１】
予告番組により予告される本編番組に関する番組情報を含む放送信号を受信する放送受信装置であって、
予告番組または本編番組を選局する選局手段と、
前記選局手段による予告番組の選局中に予告番組の放送信号から本編番組に関する番組情報を抽出する情報抽出手段と、
前記情報抽出手段により抽出された番組情報を記憶する番組情報記憶手段と、
ユーザの指示に基づいて前記番組情報記憶手段に記憶された番組情報を画面に表示させる表示制御手段と、
画面に表示された番組情報に基づいてユーザにより選択された本編番組の予約設定を行う予約設定手段とを備えたことを特徴とする放送受信装置。
【請求項２】
前記表示制御手段は、前記番組情報記憶手段に記憶された番組情報を画面に一覧表示させ、
前記予約設定手段は、画面に一覧表示された番組情報からユーザにより選択された番組情報に基づいて本編番組の予約設定を行うことを特徴とする請求項１記載の放送受信装置。
【請求項３】
予告番組の放送信号から予告番組のコンテンツを含む番組データを抽出するデータ抽出手段と、
前記データ抽出手段により抽出された番組データを記憶する第１のデータ記憶手段とをさらに備え、
前記表示制御手段は、ユーザの指示に基づいて前記第１のデータ記憶手段に記憶された番組データを静止画または動画の映像として画面に表示させることを特徴とする請求項１または２記載の放送受信装置。
【請求項４】
前記表示制御手段は、前記第１のデータ記憶手段に記憶された番組データに基づいて一定期間分の予告番組の映像を画面に表示させることを特徴とする請求項３記載の放送受信装置。
【請求項５】
前記表示制御手段は、前記第１のデータ記憶手段に記憶された番組データに基づいて予告番組の映像を画面にサムネイル表示させることを特徴とする請求項３または４記載の放送受信装置。
【請求項６】
前記予約設定手段による予約設定の内容を示す予約情報を記憶する予約情報記憶手段をさらに備え、
前記表示制御手段は、ユーザの指示に基づいて前記予約情報記憶手段に記憶された予約情報を画面に表示させることを特徴とする請求項１〜５のいずれかに記載の放送受信装置。
【請求項７】
前記選局手段は、前記予約設定手段による予約設定に基づいて本編番組を選局することを特徴とする請求項１〜６のいずれかに記載の放送受信装置。
【請求項８】
前記選局手段により選局された本編番組のコンテンツを含む番組データを出力する出力手段をさらに備えたことを特徴とする請求項７記載の放送受信装置。
【請求項９】
前記選局手段により選局された本編番組のコンテンツを含む番組データを記憶する第２のデータ記憶手段をさらに備えたことを特徴とする請求項７または８記載の放送受信装置。
【請求項１０】
本編番組のコンテンツを蓄積するサーバに接続され、前記予約設定手段による予約設定に基づいて本編番組のコンテンツを前記サーバから取得するコンテンツ取得手段をさらに備えたことを特徴とする請求項１〜９のいずれかに記載の放送受信装置。
【請求項１１】
本編番組に関する番組情報は本編番組の予約可能時間を含み、
前記情報抽出手段により抽出された番組情報から予約可能時間を取得する時間取得手段と、
前記時間取得手段により取得された予約可能時間を記憶する時間記憶手段とをさらに備え、
前記予約設定手段は、ユーザによる本編番組の予約設定の指示が前記時間記憶手段に記憶された予約可能時間内に与えられた場合に本編番組の予約設定を行うことを特徴とする請求項１〜１０のいずれかに記載の放送受信装置。
【請求項１２】
現在時刻が前記時間記憶手段に記憶された予約可能時間を過ぎたときに前記番組情報記憶手段に記憶される番組情報を消去する消去手段をさらに備えたことを特徴とする請求項１１記載の放送受信装置。
【発明の詳細な説明】
【技術分野】
【０００１】
本発明は、番組予約を行う機能を有する放送受信装置に関する。
【背景技術】
【０００２】
デジタル放送では、ユーザは、非常に多数のチャンネルの中から所望の番組を選択しなければならない。このような番組選択の困難性を緩和すべく、テレビ受信機の画面上に放送番組表を表示する電子番組ガイド（ＥＰＧ）およびジャンル別に番組の検索を可能にするジャンル検索機能が導入され、ユーザの利便性を高めている。
【０００３】
しかし、電子番組ガイドを使用した場合でも、テレビ受信機の画面上に全ての番組を一括表示することはできない。また、電子番組ガイドから各番組の内容を直感的に把握することは困難である。一方、ジャンル検索機能を利用しても、各番組の詳細な内容までは簡単には把握することができない。したがって、ユーザは、電子番組ガイドまたはジャンル検索機能を利用したとしても、興味のある番組を見逃してしまう場合がある。
【０００４】
一方、放送局は、これから放送する番組を予告および宣伝するために、その番組を要約した番組予告のコマーシャル・メッセージ（以下、予告番組と称する）を放送している。ユーザは、その予告番組を見て、興味のある番組を見つけた場合に、それをメモ書き等により記憶しておき、後日電子番組ガイドから記憶した番組を探し、視聴または録画の予約操作を行う。
【０００５】
しかしながら、このように予告番組の内容を記憶して別途予約操作を行うことは、ユーザにとって非常に面倒である。番組名または開始時間を忘れてしまい、予約操作をできない場合も多い。
【０００６】
そこで、予告番組の視聴中に、予告および宣伝されている番組（以下、本編番組と称する）を即座にリモコンで録画予約することができるデジタル放送受信装置が提案されている（例えば、特許文献１および２参照）。
【０００７】
また、本編データを指示する予告データを記録および表示するとともに、本編データに対する記録または出力の予約を予告データに対する操作に基づいて実行する予約処理方法も提案されている（特許文献３参照）。
【特許文献１】特開昭６３−９２１７７号公報
【特許文献２】特開２００１−２５７９５３号公報
【特許文献３】特開平１１−２５２４９２号公報
【発明の開示】
【発明が解決しようとする課題】
【０００８】
しかしながら、ほとんどの予告番組は１５秒という短時間に要約されているため、ユーザが予告番組を視聴している時間内に即座に視聴または録画の予約操作を行うことは非常に困難である。
【０００９】
上記特許文献１および２に記載されているように、たとえリモコンの予約スイッチを押下するのみで予約登録が可能になるとしても、例えば台所で炊事をしながらテレビ放送を見ているような場合に、すぐにリモコンを手にとって予約スイッチを押下することはほぼ不可能である。
【００１０】
また、特許文献３の予約処理方法ように、予告データから所望の番組を探し出すことも容易でない。
【００１１】
本発明の目的は、予告番組が終了してもユーザが本編番組の視聴または録画の予約を簡単かつ確実に行うことを可能にする放送受信装置を提供することである。
【課題を解決するための手段】
【００１２】
（１）本発明に係る放送受信装置は、予告番組により予告される本編番組に関する番組情報を含む放送信号を受信する放送受信装置であって、予告番組または本編番組を選局する選局手段と、選局手段による予告番組の選局中に予告番組の放送信号から本編番組に関する番組情報を抽出する情報抽出手段と、情報抽出手段により抽出された番組情報を記憶する番組情報記憶手段と、ユーザの指示に基づいて番組情報記憶手段に記憶された番組情報を画面に表示させる表示制御手段と、画面に表示された番組情報に基づいてユーザにより選択された本編番組の予約設定を行う予約設定手段とを備えたものである。
【００１３】
その放送受信装置においては、選局手段による予告番組の選局中に予告番組の放送信号から本編番組に関する番組情報が情報抽出手段により抽出され、抽出された番組情報が番組情報記憶手段に記憶される。その後、ユーザの指示に基づいて番組情報記憶手段に記憶された番組情報が表示制御手段により画面に表示され、画面に表示された番組情報に基づいてユーザにより選択された本編番組の予約設定が予約設定手段により行われる。
【００１４】
このように、ユーザが予告番組を視聴しているときに予告番組の放送信号から抽出された本編番組に関する番組情報が記憶される。ユーザは予告番組により本編番組の内容を把握しているので、予告番組が終了しても画面に表示された番組情報を見ながら本編番組を容易に選択することができる。それにより、本編番組の視聴または録画の予約を簡単かつ確実に行うことが可能になる。
【００１５】
（２）表示制御手段は、番組情報記憶手段に記憶された番組情報を画面に一覧表示させ、予約設定手段は、画面に一覧表示された番組情報からユーザにより選択された番組情報に基づいて本編番組の予約設定を行ってもよい。
【００１６】
この場合、ユーザは、予告番組が終了しても画面に一覧表示された番組情報を見ながら本編番組を選択することができるので、本編番組の視聴または録画の予約をより簡単かつ確実に行うことが可能になる。
【００１７】
（３）放送受信装置は、予告番組の放送信号から予告番組のコンテンツを含む番組データを抽出するデータ抽出手段と、データ抽出手段により抽出された番組データを記憶する第１のデータ記憶手段とをさらに備え、表示制御手段は、ユーザの指示に基づいて第１のデータ記憶手段に記憶された番組データを静止画または動画の映像として画面に表示させてもよい。
【００１８】
この場合、予告番組の放送信号から予告番組のコンテンツを含む番組データがデータ抽出手段により抽出され、抽出された番組データが第１のデータ記憶手段に記憶される。その後、ユーザの指示に基づいて第１のデータ記憶手段に記憶された番組データが表示制御手段により静止画または動画の映像として画面に表示される。
【００１９】
それにより、ユーザは、画面に表示された予告番組の静止画または動画の映像を見ながら本編番組を選択することができるので、本編番組の視聴または録画の予約をさらに簡単かつ確実に行うことが可能になる。
【００２０】
（４）表示制御手段は、第１のデータ記憶手段に記憶された番組データに基づいて一定期間分の予告番組の映像を画面に表示させてもよい。
【００２１】
この場合、ユーザは、画面に表示された一定期間分の予告番組の映像を見ながら本編番組を選択することができるので、本編番組の視聴または録画の予約をさらに簡単かつ確実に行うことが可能になる。
【００２２】
（５）表示制御手段は、第１のデータ記憶手段に記憶された番組データに基づいて予告番組の映像を画面にサムネイル表示させてもよい。
【００２３】
この場合、ユーザは、画面にサムネイル表示された予告番組の映像を見ながら本編番組を選択することができるので、本編番組の視聴または録画の予約をさらに簡単かつ確実に行うことが可能になる。
【００２４】
（６）放送受信装置は、予約設定手段による予約設定の内容を示す予約情報を記憶する予約情報記憶手段をさらに備え、表示制御手段は、ユーザの指示に基づいて予約情報記憶手段に記憶された予約情報を画面に表示させてもよい。
【００２５】
この場合、ユーザは、画面に表示された予約情報を見ることにより、予約設定の内容を容易に確認することができる。
【００２６】
（７）選局手段は、予約設定手段による予約設定に基づいて本編番組を選局してもよい。
【００２７】
この場合、予約設定に基づいて本編番組が選局されることにより本編番組の視聴または録画が可能となる。
【００２８】
（８）放送受信装置は、選局手段により選局された本編番組のコンテンツを含む番組データを出力する出力手段をさらに備えてもよい。
【００２９】
この場合、選局された本編番組のコンテンツを含む番組データが出力されることのより本編番組の視聴が可能となる。
【００３０】
（９）放送受信装置は、選局手段により選局された本編番組のコンテンツを含む番組データを記憶する第２のデータ記憶手段をさらに備えてもよい。
【００３１】
この場合、選局された本編番組のコンテンツを含む番組データが記憶されることにより本編番組が録画される。
【００３２】
（１０）放送受信装置は、本編番組のコンテンツを蓄積するサーバに接続され、予約設定手段による予約設定に基づいて本編番組のコンテンツをサーバから取得するコンテンツ取得手段をさらに備えてもよい。
【００３３】
この場合、予約設定に基づいて本編番組のコンテンツがサーバから取得されることにより本編番組の視聴または録画が可能となる。
【００３４】
（１１）本編番組に関する番組情報は本編番組の予約可能時間を含み、放送受信装置は、情報抽出手段により抽出された番組情報から予約可能時間を取得する時間取得手段と、時間取得手段により取得された予約可能時間を記憶する時間記憶手段とをさらに備え、予約設定手段は、ユーザによる本編番組の予約設定の指示が時間記憶手段に記憶された予約可能時間内に与えられた場合に本編番組の予約設定を行ってもよい。
【００３５】
この場合、ユーザが予約可能時間内に本編番組の予約設定を指示した場合に本編番組の予約設定が行われる。
【００３６】
（１２）放送受信装置は、現在時刻が時間記憶手段に記憶された予約可能時間を過ぎたときに番組情報記憶手段に記憶される番組情報を消去する消去手段をさらに備えてもよい。
【００３７】
この場合、現在時刻が予約可能時間を過ぎたときに番組情報記憶手段に記憶される番組情報が消去されるので、番組情報記憶手段に予約不可能な本編番組の番組情報が蓄積されることが防止される。
【発明の効果】
【００３８】
本発明によれば、ユーザが予告番組を視聴しているときに予告番組の放送信号から抽出された本編番組に関する番組情報が記憶される。ユーザは予告番組により本編番組の内容を把握しているので、予告番組が終了しても画面に表示された番組情報を見ながら本編番組を容易に選択することができる。それにより、本編番組の視聴または録画の予約を簡単かつ確実に行うことが可能になる。
【発明を実施するための最良の形態】
【００３９】
以下、本発明の一実施の形態に係る放送受信装置について図面を参照しながら詳細に説明する。
【００４０】
ここで、放送予定の番組を予告および宣伝するためにその番組を要約したコマーシャル・メッセージを予告番組と称する。また、予告番組により予告および宣伝される番組を本編番組と称する。
【００４１】
（１）放送受信装置の構成
図１は主として本発明の一実施の形態に係る放送受信装置の構成を示すブロック図である。
【００４２】
図１において、放送受信装置２は、受信部２１、合成部２２、映像音声出力部２３、制御部３０、第１の記憶部４０および第２の記憶部５０を備える。映像音声出力部２３には、モニタ６０およびスピーカ６１が接続される。
【００４３】
この放送受信装置２は、例えば地上波デジタル放送、地上波アナログ放送、衛星デジタル放送、衛星アナログ放送、ケーブルテレビ（ＣＡＴＶ）放送またはインターネット放送等の放送媒体から放送信号を受信するテレビジョン受像機またはセットトップボックス（ＳＴＢ）等である。
【００４４】
制御部３０は、予告番組視聴判定部３１、予告番組情報抽出部３２、番組予約設定部３３、予約可能時刻設定部３４、予約可能時刻判定部３５、番組予約実行部３６およびタイマ３７を含む。この制御部３０の各部の機能は、ＣＰＵ（中央演算処理装置）およびプログラムにより実現される。
【００４５】
第１の記憶部４０は、予告番組情報記憶部４１、予約可能時刻記憶部４２および予約情報記憶部４３を含む。この第１の記憶部４０は、ハードディスク、ＤＶＤ（デジタルバーサタイルディスク）、半導体メモリ等の記録媒体により構成される。
【００４６】
第２の記憶部５０は、予告番組データ記憶部５１および録画番組データ記憶部５２を含む。この第２の記憶部５０は、半導体メモリ、ハードディスク、ＤＶＤ等の記録媒体により構成される。
【００４７】
受信部２１は、放送局１から送信される放送信号を受信し、その放送信号に選局、復調および復号を行い、番組データおよび番組情報を出力する。
【００４８】
ここで、番組データは、各番組のコンテンツを構成する映像信号および音声信号を含む。特に、予告番組の番組データを予告番組データと呼び、本編番組の番組データを本編番組データと呼ぶ。番組情報は、例えばＳＩ（番組配列情報；Service Information）またはＰＳＩ（番組特定情報；Program Specific Information)の１つであるＥＩＴ（イベント情報テーブル；Event Information Table）を用いて提供される。番組情報の例については後述する。
【００４９】
また、受信部２１は、放送局１のサーバに例えばＩＰ（インターネットプロトコル）ネットワークにより接続されており、そのサーバと双方向通信を行うことができる。放送局１のサーバには、放送番組のコンテンツが蓄積されている。
【００５０】
合成部２２は、受信部２１、予告番組データ記憶部５１または録画番組データ記憶部５２から与えられる番組データを選択的に出力し、予告番組情報記憶部４１から与えられる後述する予告番組情報または予約情報記憶部４３から与えられる後述する予約情報を選択的に出力し、あるいは番組データと予告番組情報または予約情報とを合成して出力する。
【００５１】
予告番組情報は、予告番組の番組情報である。予告番組情報の例については後述する。また、予約情報は、予約された番組のチャンネル、番組名、開始時刻、終了時刻および予約の種別（視聴または録画）を含む。
【００５２】
情報入力部２４は、例えばリモートコントローラからなり、視聴予約および録画予約に用いられる。なお、ユーザによる情報入力部２４を用いた操作は、モニタ６０の画面に表示された映像を見ながら行われる。
【００５３】
映像音声出力部２３は、合成部２２から出力される番組データ、予告番組情報または予約情報に基づいて映像信号および音声信号を出力する。映像信号はモニタ６０に与えられ、音声信号はスピーカ６１に与えられる。
【００５４】
予告番組視聴判定部３１は、受信部２１から与えられる番組情報に基づいて予告番組が視聴されているか否かを判定する。予告番組情報抽出部３２は、受信部２１から出力される放送信号から予告番組情報を含む番組情報を抽出する。
【００５５】
予告番組情報記憶部４１は、予告番組情報抽出部３２により抽出される一定期間分の予告番組情報を含む番組情報を記憶する。予告番組データ記憶部５１は、受信部２１から出力される一定期間分の予告番組データを記憶する。予告番組データ記憶部５１に記憶される予告番組データは、予告番組情報記憶部４１に記憶される予告番組情報と関連付けられている。
【００５６】
予約可能時刻設定部３４は、予告番組情報記憶部４１に記憶された予告番組情報に基づいて予約可能時刻を予約可能時刻記憶部４２に記憶させる。また、予約可能時刻設定部３４は、現在時刻が予約可能時刻を過ぎた場合に予告番組情報記憶部４１に記憶された予告番組情報および予告番組データ記憶部５１に記憶された予告番組データを消去する。
【００５７】
なお、ユーザは、情報入力部２４を用いて予約可能時刻記憶部４２に記憶された予約可能時刻を変更することができる。
【００５８】
予約可能時刻判定部３５は、予約可能時刻記憶部４２に記憶される予約可能時刻およびタイマ３７により計測される現在時刻に基づいて現在時刻が予約可能時刻前であるか否かを判定する。
【００５９】
番組予約設定部３３は、情報入力部２４の操作および予約可能時刻判定部３５の判定結果に基づいて本編番組の予約設定を行い、予約情報を予約情報記憶部４３に与える。予約情報記憶部４３は予約情報を記憶する。
【００６０】
番組予約実行部３６は、予約情報記憶部４３に記憶された予約情報およびタイマ３７により計測される現在時刻に基づいて本編番組の予約を実行する。
【００６１】
具体的には、番組予約実行部３６は、本編番組の視聴予約の実行時には、予約された本編番組を選局するように受信部２１を制御する。それにより、映像音声出力部２３から本編番組の映像信号および音声信号が出力され、モニタ６０に本編番組の映像が表示されるとともにスピーカ６１から本編番組の音声が出力される。
【００６２】
また、番組予約実行部３６は、本編番組の録画予約の実行時には、予約された本編番組を選局するように受信部２１を制御するとともに予約された本編番組の番組データを記憶するように録画番組データ記憶部５２を制御する。それにより、録画番組データ記憶部５２は、受信部２１から出力される本編番組の番組データを記憶する。
【００６３】
あるいは、本編番組の視聴予約および録画予約の実行時に、受信部２１は、放送局１のサーバに蓄積された本編番組のコンテンツを取得することもできる。
【００６４】
（２）番組情報
図２は番組情報の一例を示す図である。図２に示すように、番組情報は、チャンネル、番組名、開始時刻、終了時刻、本編番組チャンネル、本編番組名、開始時刻、終了時刻および予約可能時刻を含む。
【００６５】
番組情報のうち本編番組チャンネル、本編番組名、開始時刻、終了時刻および予約可能時刻が予告番組情報に相当する。
【００６６】
例えば、チャンネル“１０１”の「予告番組Ａ」は７月１５日１９時０分から１５秒間放送される。この「予告番組Ａ」は、チャンネル“１０１”で９月２８日２３時０分〜２３時４５分に放送される本編番組「らんぼーもの」を予告および宣伝する。この本編番組「らんぼーもの」の予約可能時刻は、開始時刻の３０分前の９月２８日２２時３０分に設定されている。なお、本編番組の予約可能時刻が本編番組の開始時刻に設定されてもよい。
【００６７】
（３）放送受信装置の動作
次に、図３〜図５を参照しながら図１の放送受信装置２の動作を説明する。図３は図１の放送受信装置２の動作を示すフローチャートである。図４はモニタ６０の画面に表示される視聴／録画予約可能番組一覧を示す図である。図５はモニタ６０の画面に表示される予約番組一覧を示す図である。この放送受信装置２の動作は、プログラムに従って制御部３０により制御される。
【００６８】
まず、予告番組視聴判定部３１は、受信部２１から与えられる番組情報に基づいてユーザが予告番組を視聴中であるか否かを判定する（ステップＳ１）。
【００６９】
ユーザが予告番組を視聴中である場合には、予告番組情報抽出部３２は、受信部２１から出力される放送信号から予告番組情報を含む番組情報を抽出する。予告番組情報記憶部４１は、予告番組情報を含む番組情報を記憶する（ステップＳ２）。また、予告番組データ記憶部５１は、受信部２１から出力される予告番組データを記憶する（ステップＳ３）。さらに、予約可能時刻設定部３４は、予告番組情報記憶部４１に記憶された予告番組情報に含まれる予告可能時刻を予約可能時刻記憶部４２に記憶させる（ステップＳ４）。
【００７０】
ステップＳ１においてユーザが予告番組を視聴中でない場合には、ステップＳ５に進む。
【００７１】
その後、予告番組視聴判定部３１は、タイマ３７により計測される現在時刻が予約可能時刻記憶部４２に記憶される予約可能時刻を過ぎたか否かを判定する（ステップＳ５）。
【００７２】
現在時刻が予約可能時刻を過ぎていない場合には、番組予約設定部３３は情報入力部２４により番組の予約が指示されたか否かを判定する（ステップＳ７）。
【００７３】
この場合、ユーザは、情報入力部２４の操作によりモニタ６０の画面に図４の視聴／録画予約可能番組一覧を表示させることができる。視聴／録画予約可能番組一覧は、予告番組情報記憶部４１に記憶される予告番組情報を含む番組情報および予告番組データ記憶部５１に記憶される予告番組データに基づいて表示される。
【００７４】
図４に示すように、視聴／録画予約可能番組一覧は、予告番組情報を含む番組情報リスト２００、予告番組のサムネイル表示３００、視聴ボタン４００および録画ボタン５００を含む。
【００７５】
ユーザは、情報入力部２４を用いて視聴ボタン４００または録画ボタン５００を選択することにより、視聴予約または録画予約を選択することができる。また、ユーザは、予告番組のサムネイル表示３００により予告番組を動画または静止画により見ることができる。さらに、ユーザは、情報入力部２４を用いて番組情報リスト２００の予告番組を選択することによりそれに対応する本編番組の予約を指示することができる。
【００７６】
番組予約が指示された場合には、予約可能時刻判定部３５は、タイマ３７により計測された現在時刻が予約可能時刻記憶部４２に記憶された予約可能時刻前か否かを判定する（ステップＳ８）。
【００７７】
現在時刻が予約可能時刻前である場合には、番組予約設定部３３は、情報入力部２４の操作により入力された予約情報を予約情報記憶部４３に記憶させる（ステップＳ９）。それにより、視聴または録画が予約される。
【００７８】
この場合、ユーザは、情報入力部２４の操作によりモニタ６０の画面に図５の予約番組一覧を表示させることができる。予約番組一覧は、予約情報記憶部４３に記憶される予約情報に基づいて表示される。図５に示すように、予約番組一覧は、予約情報リスト６００を含む。予約情報リスト６００は、予約された本編番組のチャンネル、本編番組名、開始時刻、終了時刻および種別（視聴または録画）を含む。
【００７９】
その後、番組予約実行部３６は、タイマ３７により計測される現在時刻および予約情報記憶部４３に記憶される予約情報に基づいて現在時刻が予約された本編番組の開始時刻になったか否かを判定する（ステップＳ１０）。現在時刻が本編番組の開始時刻になっていない場合には、番組予約実行部３６は待機する。
【００８０】
現在時刻が本編番組の開始時刻になった場合には、番組予約実行部３６は、予約された本編番組を選局するように受信部２１を制御し、または予約された本編番組を選局するように受信部２１を制御するとともにその本編番組の番組データを記憶するように録画番組データ記憶部５２を制御し、本編番組の録画を実行する（ステップＳ１１）。それにより、予約された本編番組の映像がモニタ６０に表示されるとともに予約された本編番組の音声がスピーカ６１から出力され、または予約された本編番組が録画される。その後、ステップＳ１に戻る。
【００８１】
ステップＳ５において、現在時刻が予約可能時刻を過ぎた場合には、予約可能時刻設定部３４は予告番組情報記憶部４１に記憶された予告番組情報を含む番組情報および予告番組データ記憶部５１に記憶された予告番組データを消去する（ステップＳ６）。その後、ステップＳ１に戻る。
【００８２】
ステップＳ７において番組予約が指示されていない場合およびステップＳ８において予約時刻が予約可能時刻前でない場合には、ステップＳ５に戻る。
【００８３】
（４）実施の形態の効果
本実施の形態に係る放送受信装置２においては、ユーザが予告番組を視聴しているときに予告番組情報を含む番組情報が予告番組データ記憶部５１に記憶される。ユーザは予告番組により本編番組の内容を把握しているので、予告番組が終了しても情報入力部２４を操作することにより本編番組の視聴または録画の予約を簡単かつ確実に行うことができる。
【００８４】
この場合、予告番組情報記憶部４１に記憶される予告番組情報を含む番組情報をモニタ６０の画面に表示させることができるで、ユーザは、本編番組の視聴または録画の予約をより簡単かつ確実に行うことができる。
【００８５】
また、予告番組データ記憶部５１に記憶された予告番組データをモニタ６０の画面にサムネイル表示させることができるので、ユーザは、本編番組の視聴または録画の予約をさらに簡単かつ確実に行うことができる。
【００８６】
（５）他の実施の形態
上記実施の形態では、制御部３０の機能がＣＰＵおよびプログラムにより実現されているが、制御部３０の各部が電子回路等のハードウエアにより実現されてもよい。
【００８７】
（６）請求項の各構成要素と実施の形態の各部との対応
以下、請求項の各構成要素と実施の形態の各部との対応の例について説明するが、本発明は下記の例に限定されない。
【００８８】
上記実施の形態では、受信部２１がデータ抽出手段、選局手段およびコンテンツ取得手段に相当し、予告番組情報抽出部３２が情報抽出手段に相当し、予告番組情報記憶部４１が番組情報記憶手段に相当し、映像音声出力部２３が表示制御手段および出力手段に相当し、番組予約設定部３３が予約設定手段に相当する。
【００８９】
また、予告番組データ記憶部５１が第１のデータ記憶手段に相当し、予約情報記憶部４３が予約情報記憶手段に相当し、録画番組データ記憶部５２が第２のデータ記憶手段に相当する。
【００９０】
さらに、予約可能時刻設定部３４が時間取得手段および消去手段に相当し、予約可能時刻記憶部４２が時間記憶手段に相当し、予約可能時刻が予約可能時間に相当する。
【産業上の利用可能性】
【００９１】
本発明は、予告番組に基づいて本編番組の視聴予約または録画予約を行う放送受信装置に利用することができる。
【図面の簡単な説明】
【００９２】
【図１】主として本発明の一実施の形態に係る放送受信装置の構成を示すブロック図
【図２】番組情報の一例を示す図
【図３】図１の放送受信装置の動作を示すフローチャート
【図４】モニタの画面に表示される視聴／録画予約可能番組一覧を示す図
【図５】モニタの画面に表示される予約番組一覧を示す図
【符号の説明】
【００９３】
１  放送局
２  放送受信装置
２１  受信部
２２  合成部
２３  映像音声出力部
２４  情報入力部
３０  制御部
３１  予告番組視聴判定部
３２  予告番組情報抽出部
３３  番組予約設定部
３４  予約可能時刻設定部
３５  予約可能時刻判定部
３６  番組予約実行部
３７  タイマ
４０  第１の記憶部
４１  予告番組情報記憶部
４２  予約可能時刻記憶部
４３  予約情報記憶部
５０  第２の記憶部
５１  予告番組データ記憶部
５２  録画番組データ記憶部
６０  モニタ
６１  スピーカ
【図１】
2007324636.tif 000003
【図２】
2007324636.tif 000004
【図３】
2007324636.tif 000005
【図４】
2007324636.tif 000006
【図５】
2007324636.tif 000007